(57)【要約】【課題】どのページ表示画面からでも１回の操作によってインデックス表示画面へ移動することができる文書ファイルの閲覧機能を高めた電子情報端末を提供する。【解決手段】全ページ（インデックスページ以外）２０を表示する表示画面の中央部分にインデックスページへ移動するためのハイパーリンク２１を配置し、どのページ表示画面からでも１回の操作によってインデックス表示画面へ移動することができる。そのため、メニューバーを表示させる又は操作用のボタンを探す必要がなくなり、自分の読みたい項目へ簡単且つスピーディーに移動することができる。【選択図】図２
0003192378.tif 000002
【実用新案登録請求の範囲】
【請求項１】
文書ファイルの閲覧機能を有するタブレット端末、スマートフォン又はパソコンからなる電子情報端末であって、インデックスページ以外のページを表示する表示画面の中央部分にインデックスページへ移動するためのハイパーリンクを配置するとともに、インデックスページを表示するインデックス表示画面に主な項目へ移動するためのハイパーリンクを配置し、どのページ表示画面からでも１回の操作によってインデックス表示画面へ移動することができるようにしたことを特徴とする文書ファイルの閲覧機能を高めた電子情報端末。
【請求項２】
請求項１に記載の文書ファイルの閲覧機能を高めた電子情報端末において、さらにインデックスページ以外のページを表示する表示画面の左側領域に１つ前のページに戻るためのハイパーリンクを配置するとともに、前記表示画面の右側領域に１つ後のページに進むためのハイパーリンクを配置したことを特徴とする文書ファイルの閲覧機能を高めた電子情報端末。
【考案の詳細な説明】
【技術分野】
【０００１】
本考案は、インデックス表示画面へ移動する操作を簡単にすることにより文書ファイルの閲覧機能を高めた電子情報端末に関する。
【背景技術】
【０００２】
従来、タブレット端末、スマートフォン等の電子情報端末を用いて文書ファイル（ＰＤＦファイル）を閲覧する際に既存のアプリを用いてインデックスを表示する場合には、画面にタップしてメニューバーを表示した後、画面下側に配置された「しおり」ボタンをタップする又は画面上側に配置された「目次」ボタンをタップすることにより、「しおり」画面又は「目次」画面へ移動するのが一般的であり、機種やバージョンによってインデックス表示画面へ移動する操作手順が異なっている。また、「しおり」画面は更に階層表示になっている場合があり、所望するインデックス表示画面に移動するのに手間がかかるという問題があった。
【０００３】
なお、文書ファイルの閲覧機能に関する先行技術の例としては、以下に示すような発明が提案されている。
特開２０１１−１７５４５３号公報（特許文献１）には、キーワード検索方式による文書ファイルの検索処理において、ユーザが望む文書ファイルを的確に抽出することができる「キーワード検索システム」が開示されている。
また、特開２００２−１３２８３５号公報（特許文献２）には、保存されている汎用電子ドキュメントが大量であっても簡便に短時間で検索可能とすることを目的とする「ドキュメント提供システムおよび提供方法」が開示されている。
【先行技術文献】
【特許文献】
【０００４】
【特許文献１】特開２０１１−１７５４５３号公報
【特許文献２】特開２００２−１３２８３５号公報
【考案の概要】
【考案が解決しようとする課題】
【０００５】
本考案は、どのページ表示画面からでも１回の操作によってインデックス表示画面へ移動することができる文書ファイルの閲覧機能を高めた電子情報端末を提供することを目的とする。
【課題を解決するための手段】
【０００６】
上記の課題を解決するために、請求項１に記載の考案は、文書ファイルの閲覧機能を有するタブレット端末、スマートフォン又はパソコンからなる電子情報端末であって、インデックスページ以外のページを表示する表示画面の中央部分にインデックスページへ移動するためのハイパーリンクを配置するとともに、インデックスページを表示するインデックス表示画面に主な項目へ移動するためのハイパーリンクを配置し、どのページ表示画面からでも１回の操作によってインデックス表示画面へ移動することができるようにしたことを特徴とする。
【０００７】
また、請求項２に記載の考案は、請求項１に記載の文書ファイルの閲覧機能を高めた電子情報端末において、さらにインデックスページ以外のページを表示する表示画面の左側領域に１つ前のページに戻るためのハイパーリンクを配置するとともに、前記表示画面の右側領域に１つ後のページに進むためのハイパーリンクを配置したことを特徴とする。
【考案の効果】
【０００８】
以上のように、本考案にかかる文書ファイルの閲覧機能を高めた電子情報端末によれば、インデックスページ以外のどのページでもページ中央部分をタップ又はクリックするだけのワンステップによりインデックスページへ移動することが可能になる。そのため、メニューバーを表示させる又は操作用のボタンを探す必要がなくなり、自分の読みたい項目へ簡単且つスピーディーに移動することができる。
【図面の簡単な説明】
【０００９】
【図１】本考案の操作方法を示す説明図である。
【図２】インデックスページへ移動するためのハイパーリンクの配置を示す説明図である。
【図３】インデックスページにおいて主な項目へ移動するためのハイパーリンクの配置を示す説明図である。
【図４】全ページ（インデックスページ以外）のハイパーリンクの配置の実施例を示す説明図である。
【考案を実施するための形態】
【００１０】
以下、本考案の実施の形態について図面を参酌しながら説明する。ここで、本考案にかかる文書ファイルの閲覧機能を高めた電子情報端末は、「ｉＯＳ（登録商標）」、「Ａｎｄｒｏｉｄ（登録商標）」、「Ｗｉｎｄｏｗｓ（登録商標）」、「Ｍａｃ（登録商標）  ＯＳ」などのプラットフォーム（ＯＳ）、「Ａｄｏｂｅ  Ｒｅａｄｅｒ（登録商標）」、「ｉＢｏｏｋｓ（登録商標）」、「ＰＤＦ  Ｐｒｏ（商標）」などの主なＰＤＦ用アプリで利用可能であり、上記の様々なＯＳ、アプリの組合せにおいて共通のインターフェイス（同じ操作及び同じインデックス）を実現するものであり、「Ｓｍａｒｔ  Ｉｎｄｅｘ／Ｐａｇｉｎｇ  Ｓｙｓｔｅｍ（商標）」と称する。
【００１１】
図１に示すように、本考案は全ページ（インデックスページ以外）２０のどのページでもページ中央部分をタップするだけのワンステップによりインデックスページ３０へ移動することを特徴とする文書ファイル（ＰＤＦファイル）の閲覧機能を高めた電子情報端末１０である。
【００１２】
全ページ（インデックスページ以外）２０のページを表示する表示画面の中央部分には、図２に示すようにインデックスページ３０へ移動するためのハイパーリンク２１が透明なボタン（非表示）で配置されている。また、インデックスページ３０を表示するインデックス表示画面には、図３に示すように主な項目へ移動するためのハイパーリンク３１が透明なボタン（非表示）で配置されている。なお、ハイパーリンクの配置方法は、既に作成済みのＰＤＦファイルに「Ａｄｏｂｅ  Ａｃｒｏｂａｔ（登録商標）」などでハイパーリンクを追加する方法と、「Ａｄｏｂｅ  ＩｎＤｅｓｉｇｎ（登録商標）」などでＰＤＦファイル作成前からハイパーリンクを設置する方法がある。
【００１３】
図４は全ページ（インデックスページ以外）のハイパーリンクの配置の実施例を示す説明図である。上述したように、全ページ（インデックスページ以外）２０のページを表示する表示画面の中央部分にインデックスページ３０へ移動するためのハイパーリンク２１が透明なボタン（非表示）で配置され、さらに同表示画面の左側領域に１つ前のページに戻るためのハイパーリンク２２が透明なボタン（非表示）で配置されるとともに、同表示画面の右側領域に１つ後のページに進むためのハイパーリンク２３が透明なボタンで配置されている。これにより、ハードウエア・ＯＳ・アプリに関わらず共通のインターフェイス「１つ前のページに戻る」「インデックスページへ移動」「１つ後のページに進む」を実現することができる。なお、既存のズームイン、ズームアウトなどのインターフェイスとは干渉しない。
【００１４】
また、ハイパーリンク２２、２１、２３を配置することにより、タブレット端末が横表示の状態でもページの左側領域/中央部分/右側領域をタップすることで、「１つ前のページに戻る」／「インデックスページへ移動」／「１つ後のページに進む」ことが可能になる。さらに、タッチパネルによる操作に対応していないパソコンでもページの左側領域/中央部分/右側領域をクリックすることで、「１つ前のページに戻る」／「インデックスページへ移動」／「１つ後のページに進む」ことが可能になり、タブレット端末と同様の操作感を実現することができる。このため、タブレット端末、スマートフォン又はパソコンなどでＰＤＦファイルを閲覧するとき、ハードウエア・ＯＳ・アプリに関わらず、どのページからでも感覚的に且つスピーディーに、前ページ／インデックスページ／後ページへ移動することができる。
【符号の説明】
【００１５】
１０  電子情報端末
２０  全ページ（インデックスページ以外）
２１  ハイパーリンク
２２  ハイパーリンク
２３  ハイパーリンク
３０  インデックスページ
３１  ハイパーリンク
【図１】
0003192378.tif 000003
【図２】
0003192378.tif 000004
【図３】
0003192378.tif 000005
【図４】
0003192378.tif 000006